(57)【特許請求の範囲】
【請求項１】
複数の端末機器が信号線を介して接続された複数の主中継器、分散火災受信機及びＣＲＴ装置等の複数の異なるノード種別のホスト機器が伝送線を介して接続され、該ホスト機器間で、防災情報の送受信が行われる分散型火災報知システムにおいて、
前記分散火災受信機は、
火災受信機用表示部と、
自機に信号線を介して接続される端末機器の端末データとして、当該自機の端末機器の端末アドレスに対応して、表示用に用いられる種別名称、棟階区番を記憶すると共に、前記防災情報としての当該自機の端末機器の状態情報毎に設定される状態番号と表示用に用いられる状態文字との対応関係を示す状態データを記憶する火災受信機用記憶部とを有し、
前記主中継器は、
主中継器用表示部を有せず、
また、自機に信号線を介して接続される端末機器の端末データとして、当該自機の端末機器の端末アドレスに対応して、表示用に用いられる種別名称、棟階区番を記憶すると共に、前記防災情報としての当該自機の端末機器の状態情報毎に設定される状態番号と表示用に用いられる状態文字との対応関係を示す状態データを記憶する主中継器用記憶部とを有し、
前記ＣＲＴ装置は、
ＣＲＴ装置用表示部と、
システム内の全ての端末機器の端末データとして、当該全ての端末機器の端末アドレスに対応して、表示用に用いられる種別名称、棟階区番を記憶すると共に、前記防災情報としての当該全ての端末機器の状態情報毎に設定される状態番号と表示用に用いられる状態文字との対応関係を示す状態データを記憶するＣＲＴ装置用記憶部とを有し、
前記ホスト機器は、前記伝送線を介して、その他のホスト機器に前記防災情報を送出するときに、状態変化した端末機器の端末アドレス、及びその状態番号、及びこれらに対応した前記表示用に用いられる種別名称、棟階区番、及び状態文字を含む、全ノード種別のホスト機器が必要な情報を全て登録した送信電文として送出し、
その他のホスト機器は、前記伝送線を介して、前記送信電文を受信したときに、自己のノード種別に必要な情報のみを取得して、必要な各種制御を行うものであり、
前記分散火災受信機は、前記送信電文を受信したときに、前記表示用に用いられる種別名称、棟階区番、及び状態文字を取得して、前記火災受信機用表示部に表示し、
前記主中継器は、前記送信電文を受信したときに、前記表示用に用いられる種別名称、棟階区番、及び状態文字を取得せず、
前記ＣＲＴ装置は、前記送信電文を受信したときに、前記表示用に用いられる種別名称、棟階区番、及び状態文字を取得せずに、前記状態変化した端末機器の端末アドレス、当該状態変化した端末機器の端末アドレスに対応した状態番号に基づいて、前記ＣＲＴ装置用記憶部に記憶されている、前記表示用に用いられる種別名称、棟階区番、及び状態文字を用いて、前記ＣＲＴ装置用表示部に表示する
ことを特徴とする分散型火災報知システム。
【請求項２】
前記電文は、全ノード種別のホスト機器が必要な情報を、それぞれパケットに区分設定したものであり、
前記ホスト機器は、ノード種別に応じて使用するパケットの情報が予め設定されており、
前記表示用に用いられる種別名称、棟階区番、及び状態文字は、連続するパケットである
ことを特徴とする請求項１記載の分散型火災報知システム。
【発明の詳細な説明】
【技術分野】
【０００１】
本発明は、分散型火災報知システムに関し、特に、複数の異なるノード種別のホスト機器が伝送線を介して接続されていても、ホスト機器とその他のホスト機器との間で、必要な情報を良好に送受信できるようにしたものである。
【背景技術】
【０００２】
信号線を介して接続された複数の端末機器を監視制御する複数の主中継器と、該複数の主中継器と伝送線を介して接続され、該複数の主中継器との間で、防災情報の送受信が行われる分散火災受信機と、を備えた分散型火災報知システムが知られている（例えば、特許文献１参照）。この分散型火災受信機は、伝送線を介して、主中継器から送出された端末機器の発報などの防災情報を受信して、この発報情報を表示部に表示することができる。また、分散型火災受信機には、専用線を介してＣＲＴ装置が接続されており、分散型火災受信機は、受信した主中継器からの発報情報を、専用線を介して送出し、この発報情報をＣＲＴ装置が受信し、これに基づき、ＣＲＴ装置は、状態変化した端末機器のシンボルの表示形態を変化させて、表示部に表示できる。
【特許文献１】特開平５−２１７０８８号公報
【発明の開示】
【発明が解決しようとする課題】
【０００３】
従来の分散型火災報知システムにおいては、防災情報を共有するために、伝送線間及び専用線間での通信を行う必要があり、通信手順が多数存在して、複雑であった。また、これを解決するために、伝送線にＣＲＴ装置を接続することも考えられるが、その場合は、それら異なるノード種別の接続機器間で、防災情報及びそれに関連した必要な情報を簡便に送受信できるようにしたいという要望がある。
【０００４】
本発明は、複数の異なるノード種別のホスト機器が伝送線を介して接続されていても、ホスト機器とその他のホスト機器との間で、防災情報及びそれに関連した必要な情報を簡便に送受信できることを目的とする。
【課題を解決するための手段】
【０００５】
この発明は、複数の端末機器が信号線を介して接続された複数の主中継器、分散火災受信機及びＣＲＴ装置等の複数の異なるノード種別のホスト機器が伝送線を介して接続され、該ホスト機器間で、防災情報の送受信が行われる分散型火災報知システムにおいて、前記分散火災受信機は、火災受信機用表示部と、自機に信号線を介して接続される端末機器の端末データとして、当該自機の端末機器の端末アドレスに対応して、表示用に用いられる種別名称、棟階区番を記憶すると共に、前記防災情報としての当該自機の端末機器の状態情報毎に設定される状態番号と表示用に用いられる状態文字との対応関係を示す状態データを記憶する火災受信機用記憶部とを有し、前記主中継器は、主中継器用表示部を有せず、また、自機に信号線を介して接続される端末機器の端末データとして、当該自機の端末機器の端末アドレスに対応して、表示用に用いられる種別名称、棟階区番を記憶すると共に、前記防災情報としての当該自機の端末機器の状態情報毎に設定される状態番号と表示用に用いられる状態文字との対応関係を示す状態データを記憶する主中継器用記憶部とを有し、前記ＣＲＴ装置は、ＣＲＴ装置用表示部と、システム内の全ての端末機器の端末データとして、当該全ての端末機器の端末アドレスに対応して、表示用に用いられる種別名称、棟階区番を記憶すると共に、前記防災情報としての当該全ての端末機器の状態情報毎に設定される状態番号と表示用に用いられる状態文字との対応関係を示す状態データを記憶するＣＲＴ装置用記憶部とを有し、前記ホスト機器は、前記伝送線を介して、その他のホスト機器に前記防災情報を送出するときに、状態変化した端末機器の端末アドレス、及びその状態番号、及びこれらに対応した前記表示用に用いられる種別名称、棟階区番、及び状態文字を含む、全ノード種別のホスト機器が必要な情報を全て登録した送信電文として送出し、その他のホスト機器は、前記伝送線を介して、前記送信電文を受信したときに、自己のノード種別に必要な情報のみを取得して、必要な各種制御を行うものであり、前記分散火災受信機は、前記送信電文を受信したときに、前記表示用に用いられる種別名称、棟階区番、及び状態文字を取得して、前記火災受信機用表示部に表示し、前記主中継器は、前記送信電文を受信したときに、前記表示用に用いられる種別名称、棟階区番、及び状態文字を取得せず、前記ＣＲＴ装置は、前記送信電文を受信したときに、前記表示用に用いられる種別名称、棟階区番、及び状態文字を取得せずに、前記状態変化した端末機器の端末アドレス、当該状態変化した端末機器の端末アドレスに対応した状態番号に基づいて、前記ＣＲＴ装置用記憶部に記憶されている、前記表示用に用いられる種別名称、棟階区番、及び状態文字を用いて、前記ＣＲＴ装置用表示部に表示することを特徴とする。
【０００６】
また、前記電文は、全ノード種別のホスト機器が必要な情報を、それぞれパケットに区分設定したものであり、前記ホスト機器は、ノード種別に応じて使用するパケットの情報が予め設定されており、前記表示用に用いられる種別名称、棟階区番、及び状態文字は、連続するパケットであることを特徴とする。
【発明の効果】
【０００７】
この発明は、複数の端末機器が信号線を介して接続された複数の主中継器、分散火災受信機及びＣＲＴ装置等の複数の異なるノード種別のホスト機器が伝送線を介して接続され、該ホスト機器間で、防災情報の送受信が行われる分散型火災報知システムにおいて、前記ホスト機器は、前記伝送線を介して、その他のホスト機器に前記防災情報を送出するときに、全ノード種別のホスト機器が必要な情報を全て登録した送信電文として送出し、その他のホスト機器は、前記伝送線を介して、前記送信電文を受信したときに、自己のノード種別に必要な情報のみを取得して、必要な各種制御を行うので、送信電文を送出するホスト機器が、１つの電文を送出するだけで、異なるノード種別のその他のホスト機器が、防災情報及びそれに関連した必要な情報を受信することができ、ホスト機器とその他のホスト機器との間で、防災情報及びそれに関連した必要な情報を簡便に送受信できる。また、送信側のホスト機器が、異なる全ノード種別毎に、別々の電文を送らなくてよいので、伝送線上のトラフィックを低減できる。
【０００８】
また、前記送信電文は、全ノード種別のホスト機器が必要な情報を、それぞれパケットに区分設定したものであり、前記ホスト機器は、ノード種別に応じて使用するパケットの情報が予め設定されているので、異なるノード種別のホスト機器のそれぞれが、必要な情報のみを簡便に取得できる。
【発明を実施するための最良の形態】
【０００９】
発明を実施するための最良の形態は、以下の実施例である。
【実施例１】
【００１０】
図１は本発明の実施例１である分散型火災報知システムのシステム系統図、図２は分散火災受信機の構成を示すブロック図、図３は主中継器の構成を示すブロック図、図４はＣＲＴ装置の構成を示すブロック図、図５は伝送線上に送出される送信電文の構成を示す図である。
【００１１】
図１に示すように、分散型火災報知システムは、ホスト機器としての分散型火災受信機ＲＥ（以下、火災受信機ＲＥという）、ＣＲＴ装置ＤＰ及び複数の主中継器ＬＭが個別のノード番号＃１〜＃５を付与されて、伝送線（以下、ＬＡＮという）を介して接続されている。火災受信機ＲＥ及び複数の主中継器ＬＭには、信号線Ｌを介して、個別の端末アドレスＡＤが付与された端末機器が接続されている。端末機器は、火災感知器Ｓ、被制御機器（地区音響装置としての地区ベルＢ、防火戸などの防排煙機器ＥＲ）などによって構成される。
【００１２】
火災受信機ＲＥ及び各主中継器ＬＭは、信号線Ｌを介して、それぞれに接続された端末機器を監視制御し、また、各ホスト機器ＲＥ、ＤＰ、ＬＭは、それぞれの間で、ＬＡＮを介して、端末機器などから収集した防災情報の送受信が行われて、これにより、ホスト機器間で防災情報が共有できるようになっている。
【００１３】
なお、図１に示す例では、ある1棟の建物内において、＃１の火災受信機ＲＥ及び＃２のＣＲＴ装置ＤＰを１階、＃３の主中継器ＬＭを２階、＃４の主中継器ＬＭを３階、＃５の主中継器ＬＭを４階に分散配置して、火災受信機ＲＥ及び各主中継器ＬＭが、それぞれの階の監視区域を監視制御することにより、巨大な１つの建物の火災監視を行うものとして説明するが、火災受信機ＲＥ及び各主中継器ＬＭのそれぞれを複数の棟に分散配置して、複数の建物などの広域の火災監視を行うようにすることもできる。
【００１４】
図２は分散火災受信機ＲＥの構成を示すブロック図である。図において、１０はそれぞれ個別の端末アドレスＡＤが付与された火災感知器Ｓや被制御機器などの端末機器が信号線Ｌを介して複数接続される端末インターフェース、１１は他のホスト機器と接続するためのＬＡＮインターフェース、１２は表示部、１３は操作部、１４は自機に必要な各種設定データなどを記憶する記憶部、１５は火災受信機全体を制御する制御部である。記憶部１４には、例えば、ホスト機器のノード番号＃とノード種別との対応関係を示すネットワークデータ、自機に信号線Ｌを介して接続される端末機器の端末データ、端末機器の端末連動テーブルデータ、発報等の状態情報毎に設定される状態番号と状態文字との対応関係を示す状態データ、などが記憶される。端末データとしては、端末機器の端末アドレスＡＤに対応して、伝送ＩＤ（種別ＩＤ）、種別名称、設置場所名などのオプションメッセージ、棟階区番、などが記憶されている。
【００１５】
図３は主中継器ＬＭの構成を示すブロック図であり、一例として、＃５の主中継器ＬＭを例に挙げて説明するが、その他の主中継器ＬＭも同様な構成である。図において、２０はそれぞれ個別の端末アドレスＡＤが付与された火災感知器Ｓや被制御機器などの端末機器が信号線Ｌを介して複数接続される端末インターフェース、２１は他のホスト機器と接続するためのＬＡＮインターフェース、２４は自機に必要な各種設定データなどを記憶する記憶部、２５は主中継器全体を制御する制御部である。
【００１６】
記憶部２４には、例えば、ホスト機器のノード番号＃とノード種別との対応関係を示すネットワークデータ、自機に信号線Ｌを介して接続される端末機器の端末データ、端末機器の端末連動テーブルデータ、発報等の状態情報毎に設定される状態番号と状態文字との対応関係を示す状態データ、などが記憶される。端末データとしては、端末機器の端末アドレスＡＤに対応して、伝送ＩＤ（種別ＩＤ）、種別名称、設置場所名などのオプションメッセージ、棟階区番、などが記憶されている。
【００１７】
図４はＣＲＴ装置ＤＰの構成を示すブロック図である。図において、３１は他のホスト機器と接続するためのＬＡＮインターフェース、３２は表示部、３３は操作部、３４は自機に必要な各種設定データなどを記憶する記憶部、３５はＣＲＴ装置全体を制御する制御部である。
【００１８】
記憶部３４には、例えば、ホスト機器のノード番号＃とノード種別との対応関係を示すネットワークデータ、システム内の全ての端末機器の端末データ、システム内の全ての端末機器の端末連動テーブルデータ、発報等の状態情報毎に設定される状態番号と状態文字との対応関係を示す状態データ、各監視区域（各階）の平面図データ、などが記憶される。端末データとしては、端末機器の端末アドレスＡＤに対応して、伝送ＩＤ（種別ＩＤ）、種別名称、設置場所名などのオプションメッセージ、棟階区番、などが記憶されている。
【００１９】
以上のような構成の分散型火災報知システムでは、あるホスト機器は、ＬＡＮを介して、その他のホスト機器に防災情報を送出するときに、全ノード種別のホスト機器が必要な情報を全て登録した送信電文４０（図５）として送出し、その他のホスト機器は、ＬＡＮを介して、送信電文４０を受信したときに、自己のノード種別に必要な情報のみを取得して、必要な各種制御を行うように構成されている。
【００２０】
これにより、送信電文４０を送出するあるホスト機器が、１つの電文を送出するだけで、異なるノード種別のその他のホスト機器が、防災情報及びそれに関連した必要な情報を受信することができ、ホスト機器とその他のホスト機器との間で、防災情報及びそれに関連した必要な情報を簡便に送受信でき、また、送信側のホスト機器が、異なる全ノード種別毎に、別々の電文を送らなくてよいので、伝送線上のトラフィックを低減できるようになっている。このことを図５に基づいて説明する。図５は、ＬＡＮ上に送出される送信電文４０の構成を示す図である。
【００２１】
送出電文４０は、全ノード種別のホスト機器が必要な情報を、それぞれパケットに区分設定したものであって、この場合、１１個のパケット４１〜５１が設定されている。パケット内の情報は、先頭の第１パケット４１が送信先ノード番号＃、第２パケット４２が送信元ノード番号＃、第３パケット４３が電文番号、第４パケット４４が端末アドレスＡＤ、第５パケット４５が伝送ＩＤ、第６パケット４６が種別名称、第７パケット４７がオプションメッセージ、第８パケット４８が棟階区番、第９パケット４９が状態文字、第１０パケット５０が状態番号であり、本実施例では、第１０パケット５０の状態番号が、防災情報の一例としての状態情報である。また、第１１パケット５１が火災受信機ＲＥに特定の処理（この防災情報を表示するしない、など）を実行させるためのシステム情報である。
【００２２】
そして、送出電文４０の受信側のホスト機器のうち、火災受信機ＲＥは上記第１パケット４１から第１１パケット５１までの全ての情報を取得し、主中継器ＬＭは上記第１パケット４１から第５パケット４５及び第１０パケット５０の情報を取得し、ＣＲＴ装置ＤＰは上記第１パケット４１から第５パケット４５及び第１０パケット５０の情報を取得する構成となっており、このように、異なるノード種別のホスト機器のそれぞれが、第１パケット４１から第１１パケット５１までの全パケット内の情報から、ノード種別に応じて使用する情報のパケットが決まっていて、必要な情報のみを簡便に取得できる構成となっている。
【００２３】
ここで、例えば、＃５の主中継器ＬＭが自機の端末機器ＡＤ１の状態変化（例えば、発報）を検出すると、＃５の主中継器ＬＭは、第１パケット４１にその他の全てのホスト機器のノード番号＃を設定し（なお、全てのホスト機器のノード番号＃を設定する代わりに、全指定を意味するグローバル番号Ｇ＃を設定してもよい）、第２パケット４２に自ノード番号＃５を設定し、第３パケット４３に任意の電文番号を設定し、第４パケット４４に状態変化した端末機器の端末アドレスＡＤ１を設定し、第５パケット４５に端末アドレスＡＤ１の伝送ＩＤを設定し、第６パケット４６に端末アドレスＡＤ１の種別名称（例えば、煙）を設定し、第７パケット４７に端末アドレスＡＤ１のオプションメッセージ（例えば、４階会議室）を設定し、第８パケット４８に端末アドレスＡＤ１の棟階区番（例えば、１−１−１−１）を設定し、第９パケット４９に状態文字（例えば、発報）を設定し、第１０パケット５０に発報の状態情報に対応する状態番号を設定し、第１１パケット５１に必要な火災受信機ＲＥの特定処理情報（例えば、表示命令情報）を設定した送出電文４０を作成してＬＡＮ上に送出する。
【００２４】
＃１の火災受信機ＲＥは、ＬＡＮを介して送信電文４０を受信すると、第１パケット４１から第１１パケット５１までの全ての情報を取り込む。そして、第１１パケット５１のシステム情報を参照して、表示命令情報であると判断すると、第２パケット４２及び第４パケット４４乃至第１０パケット５０を参照し、状態情報（防災情報の一例）及びそれに関連した情報を表示部１２に表示する。例えば、「ノード番号＃５、端末アドレスＡＤ１、煙（種別名称）、４階会議室（設置場所等のオプションメッセージ）、１−１−１−１（棟階区番）、発報（状態文字）」として表示する。火災受信機ＲＥは、自己に接続される端末機器以外の端末データを記憶部１４に記憶していないが、第６パケット４６及び第８パケット４８を取り込むことによって、上記のように、発報等の状態情報と共に、自己に接続される端末機器以外の、種別名称、オプションメッセージ、棟階区番、等の端末データを表示することができる。
【００２５】
また、＃３〜＃４の主中継器ＬＭは、ＬＡＮを介して送信電文４０を受信すると、第１パケット４１乃至第５パケット４５及び第１０パケット５０を取り込む。そして、第２パケット４２及び第４パケット４４を参照して、この送信電文４０が＃５の主中継器ＬＭの端末アドレスＡＤ１の端末機器に関するものであると判断し、また、第１０パケット５０の状態番号を参照して、この端末機器が発報したと判断し、そして、必要な各種制御を行う必要がある場合は、必要な各種制御を行う。例えば、記憶部２４の端末連動テーブルを参照して、ノード番号＃５の状態変化した端末機器の端末アドレスＡＤ１に関連して、連動されるべき自機の被制御機器があれば、当該被制御機器を起動制御することができる。なお、主中継器ＬＭは、表示部を有しないので、表示に関する情報である種別名称、オプションメッセージ、棟階区番、状態文字、つまり、これらが設定されている第６パケット４６乃至第９パケット４９を取り込む必要がない。
【００２６】
また、＃２のＣＲＴ装置ＤＰは、ＬＡＮを介して送信電文を受信すると、第１パケット４１乃至第５パケット４５及び第１０パケット５０を取り込む。そして、第２パケット４２及び第４パケット４４を参照して、この送信電文４０が＃５の主中継器ＬＭの端末アドレスＡＤ１の端末機器に関するものであると判断し、また、第１０パケット５０の状態番号を参照して、この端末機器が発報したと判断し、表示部３２に、この端末機器が配置されている４階の平面図データを表示すると共に、平面図データ内に配置されている端末アドレスＡＤ１の端末機器のシンボルに関して、発報を示す表示形態に変化させて表示することができる。また、そのときに、ＣＲＴ装置ＤＰは、記憶部３４に、状態データとして状態文字を記憶し、さらに、システム内の全ての端末機器の端末データ（ここでは、種別名称、オプションメッセージ、棟階区番）を記憶しているので、これらが設定されている第６パケット４６乃至第９パケット４９を取り込まなくても、それら情報を表示することができる。
【００２７】
上記実施例によれば、複数の端末機器が信号線Ｌを介して接続された複数の主中継器ＬＭ、分散火災受信機ＲＥ及びＣＲＴ装置ＤＰ等の複数の異なるノード種別のホスト機器が伝送線としてのＬＡＮを介して接続され、該ホスト機器間で、防災情報の送受信が行われる分散型火災報知システムにおいて、前記ホスト機器は、前記伝送線を介して、その他のホスト機器に前記防災情報を送出するときに、全ノード種別のホスト機器が必要な情報を全て登録した送信電文４０として送出し、その他のホスト機器は、前記伝送線を介して、前記送信電文４０を受信したときに、自己のノード種別に必要な情報のみを取得して、必要な各種制御を行うので、送信電文４０を送出するホスト機器が、１つの電文を送出するだけで、異なるノード種別のその他のホスト機器が、防災情報及びそれに関連した必要な情報を受信することができ、ホスト機器とその他のホスト機器との間で、防災情報及びそれに関連した必要な情報を簡便に送受信できる。また、送信側のホスト機器が、異なる全ノード種別毎に、別々の電文を送らなくてよいので、伝送線上のトラフィックを低減できる。
【００２８】
また、前記送信電文４０は、全ノード種別のホスト機器が必要な情報を、それぞれパケットに区分設定したものであり、前記ホスト機器は、ノード種別に応じて使用するパケットの情報が予め設定されているので、異なるノード種別のホスト機器のそれぞれが、必要な情報のみを簡便に取得できる。
【図面の簡単な説明】
【００２９】
【図１】本発明の実施例１である分散型火災報知システムのシステム系統図である。
【図２】分散火災受信機の構成を示すブロック図である。
【図３】主中継器の構成を示すブロック図である。
【図４】ＣＲＴ装置の構成を示すブロック図である。
【図５】送信電文の構成を示す図である。
【符号の説明】
【００３０】
ＲＥ…分散火災受信機、ＬＭ…主中継器、ＤＰ…ＣＲＴ装置、ＬＡＮ…伝送線、Ｌ…信号線、Ｓ…火災感知器、Ｂ…地区ベル（地区音響装置）、ＥＲ…防排煙機器、１０…端末インターフェース、１１…ＬＡＮインターフェース、１２…表示部、１３…操作部、１４…記憶部、１５…制御部、２０…端末インターフェース、２１…ＬＡＮインターフェース、２４…記憶部、２５…制御部、３１…ＬＡＮインターフェース、３２…表示部、３３…操作部、３４…記憶部、３５…制御部、４０…送信電文、４１…第１パケット、４２…第２パケット、４３…第３パケット、４４…第４パケット、４５…第５パケット、４６…第６パケット、４７…第７パケット、４８…第８パケット、４９…第９パケット、５０…第１０パケット、５１…第１１パケット。
【図１】
0005000401.tif 000002
【図２】
0005000401.tif 000003
【図３】
0005000401.tif 000004
【図４】
0005000401.tif 000005
【図５】
0005000401.tif 000006